(57)【要約】【課題】防犯性能や外開き窓としての性能を確保した上で、居住者に閉塞感及び心理的圧迫感を与えることなく、かつ外観的な美観性に富む防犯窓を提供する。【解決手段】固定枠１１と該固定枠１１に枢支されて屋外側に回動可能な可動枠１２とを少なくとも具備する窓において、前記固定枠１１のうち前記可動枠１２の回動軸と略直交する二辺の略中央同士の間に架設されて、前記可動枠１２と接触可能な規制部材２０を配設した。また、前記規制部材２０を前記固定枠１１よりも屋外側に配設するとともに、前記規制部材２０と、前記固定枠１１のうち前記規制部材２０の架設されない辺との間隙を、１５ｃｍ以上２０ｃｍ以下とし、前記規制部材２０と前記可動枠１２とのうち、互いの接触箇所のいずれか一方若しくは双方に緩衝部材２３を設けた。さらに、前記規制部材２０は、前記可動枠１２の回動軸と略平行に配置された単数又は複数の略コ字状の棒状部材で構成した。【選択図】図１
2008174951.tif 000002
【特許請求の範囲】
【請求項１】
固定枠と該固定枠に枢支されて屋外側に回動可能な可動枠とを少なくとも具備する窓において、
前記固定枠のうち前記可動枠の回動軸と略直交する二辺の略中央同士の間に架設されて、前記可動枠と接触可能な規制部材を備えることを特徴とする防犯窓。
【請求項２】
前記規制部材を前記固定枠よりも屋外側に配設するとともに、
前記規制部材と、前記固定枠のうち前記規制部材の架設されない辺との間隙を、１５ｃｍ以上２０ｃｍ以下とした、
請求項１に記載の防犯窓。
【請求項３】
前記規制部材と前記可動枠とのうち、互いの接触箇所のいずれか一方若しくは双方に緩衝部材を設けた、
請求項１又は請求項２に記載の防犯窓。
【請求項４】
前記規制部材は、前記可動枠の回動軸と略平行に配置された単数又は複数の略コ字状の棒状部材で成る、
請求項１〜請求項３の何れか一項に記載の防犯窓。
【発明の詳細な説明】
【技術分野】
【０００１】
本発明は防犯機能を備えた窓に関し、詳しくは、防犯性能や外開き窓としての性能を確保した上で、居住者や訪問者に閉塞感及び心理的圧迫感を与えることのない外観的な美観性に富んだ防犯窓の技術に関する。
【背景技術】
【０００２】
従来、窓の防犯性能を確保するため、窓の屋外側に面格子等を設ける技術が用いられている。
例えば、嵌め殺し窓や引き違い窓では、窓枠も含めて窓全体を覆うようにして面格子が設けられ、たとえ不審者等によって戸（ガラス）が破られても侵入が不可能に構成されている。しかし、このように面格子で窓全体を覆ってしまう構成では、居住者の閉塞感及び心理的圧迫感が高まるうえ、外観的にも美観を損なうものであった。
【０００３】
一方、戸が屋外側に開く外開き窓や滑り出し窓では、窓の屋外側の防犯機能を果たすために十分な位置に面格子を設けると、該面格子にて戸の可動範囲が狭まって充分な開放感と窓としての機能が得られないため、通常、窓に面格子は設けられない。但し、外開き窓や滑り出し窓に面格子を備える形態として、滑り出し窓の戸自体に面格子を設ける技術や、外開き窓の戸の室内側に面格子を設ける技術が、提案されている(例えば、特許文献１及び特許文献２参照)。
【０００４】
しかし、特許文献１の技術では、窓に備えられる戸の回動角度は確保されるものの、窓を閉めているときの居住者の閉塞感及び心理的圧迫感が高まるうえ、外観的に窓周辺の美観を損なうものであり、窓のロック機構が破壊されると外部から容易に侵入されてしまうという欠点があった。
また、特許文献２の技術においては、屋外からの美観を損なうことはないが、室内居住空間に防犯設備を配置するため居住者の心理的抵抗が大きく、室内空間のスペースを有効に活用することが困難であった。
【特許文献１】登録実用新案第３１０２４１２号公報
【特許文献２】特開２００４−２３２３１８号公報
【発明の開示】
【発明が解決しようとする課題】
【０００５】
本発明は上記の課題を解決するために、防犯性能や外開き窓としての性能を確保した上で、居住者に閉塞感及び心理的圧迫感を与えることのない外観的な美観性に富んだ防犯窓を提供するものである。
【課題を解決するための手段】
【０００６】
本発明の解決しようとする課題は以上の如くであり、次にこの課題を解決するための手段を説明する。
【０００７】
即ち、請求項１においては、固定枠と該固定枠に枢支されて屋外側に回動可能な可動枠とを少なくとも具備する窓において、前記固定枠のうち前記可動枠の回動軸と略直交する二辺の略中央同士の間に架設されて、前記可動枠と接触可能な規制部材を備えるものである。
【０００８】
請求項２においては、前記規制部材を前記固定枠よりも屋外側に配設するとともに、前記規制部材と、前記固定枠のうち前記規制部材の架設されない辺との間隙を、１５ｃｍ以上２０ｃｍ以下としたものである。
【０００９】
請求項３においては、前記規制部材と前記可動枠とのうち、互いの接触箇所のいずれか一方若しくは双方に緩衝部材を設けたものである。
【００１０】
請求項４においては、前記規制部材は、前記可動枠の回動軸と略平行に配置された単数又は複数の略コ字状の棒状部材で成るものである。
【発明の効果】
【００１１】
本発明の効果として、以下に示すような効果を奏する。
即ち、本発明においては、例えば換気等で可動枠を開放している場合に、不審者等が外部から侵入しようとしても、規制部材によって前記可動枠の回動角度が抑制されて開口幅が制限されるため、不審者等の侵入を防ぐことができる。つまり可動枠が開放されても、不審者等に対する防犯効果を実現することができる。
また不審者にとっては、侵入までに時間がかかる住居に対して侵入を試みるのは発見・通報される可能性が大きいので、防犯設備を具備した窓は侵入の対象となりにくい。即ち、該規制部材を窓周辺の屋外側に配設することで、不審者に狙われる虞を低減させることができ、所謂「見せる防犯」として機能させることができるのである。
【発明を実施するための最良の形態】
【００１２】
次に、発明の実施の形態を説明する。なお、本発明の技術的範囲は実施例に限定されるものではなく、本明細書及び図面に記載した事項から明らかになる、本発明が真に意図する技術的思想の範囲全体に、広く及ぶものである。
図１は本実施例に係る防犯窓の外観斜視図である。
図２は防犯窓の正面図である。
図３は図２におけるＡ−Ａ´断面図である。
図４は可動枠の最大開放状態を示したＡ−Ａ´断面図である。
図５は図２におけるＢ−Ｂ´断面図である。
図６は本実施例に係る防犯窓の構造を適用させた滑り出し窓の断面図である。
図７は別形態の規制部材を備えた防犯窓の正面図である。
【００１３】
まず、本発明の実施例に係る防犯窓１０の構成について、図１乃至図５を用いて説明する。なお、説明の便宜上、以下では防犯窓１０の屋外側を正面、室内側を背面とし、図２における右側（屋外から防犯窓に向かって右側）を右側、左側を左側とする。
【００１４】
図１に示すように、防犯窓１０は、住宅やオフィスの窓として屋外壁１９に配置される開口部である。具体的には、屋外壁１９の開口部周縁には略矩形枠状の固定枠１１が固設され、該固定枠１１の内周に略矩形状の可動枠１２が回動して開閉可能に配設される。前記可動枠１２の内周に窓ガラス１３が嵌め込まれて構成される戸は、前記固定枠１１や屋外壁１９に対して回動可能に構成されている。
前記固定枠１１、前記可動枠１２等の本実施例中に記載する部材は、アルミ若しくはスチール等の金属製とするが、木製等でも差し支えなく、本実施例の形態に限定するものではない。また、本実施例中では、前記可動枠１２は左側端に回動軸を有する外開き窓とするが、右側端あるいは上端あるいは下端に回動軸を有する構成であっても差し支えなく、本実施例の形態に限定するものではない。
【００１５】
図１、図２及び図５に示すように、固定枠１１と該固定枠１１に枢支されて屋外側に回動可能な可動枠１２とを少なくとも具備する防犯窓１０において、前記固定枠１１のうち前記可動枠１２の回動軸と略直交する二辺の略中央同士の間に、規制部材２０が架設されている。前記規制部材２０は、開放する方向に回動した前記可動枠１２と接触可能である。前記規制部材２０は、前記可動枠１２の回動範囲を規制することにて、窓に防犯機能を備えるためのものである。また、前記規制部材２０は、防犯窓１０の開口部を人が侵入できない大きさと仕切ることにて、可動枠１２が破られたときに人の侵入を阻止できるように、窓に防犯機能を備えるためのものである。
【００１６】
前記規制部材２０は、前記固定枠１１の左右略中央部において、左右方向に間隔を空けつつ略左右対称に配設された二本の側面視略コ字状の棒材であるコ字状棒材２１・２１にて構成される。
詳しくは、前記固定枠１１の上端には規制部材２０を構成するコ字状棒材２１・２１の上端が、固定枠１１の下端には該コ字状棒材２１・２１の下端が、それぞれ溶接あるいは締結等によって固設されており、即ち、コ字状棒材２１・２１は防犯窓１０の屋外側を平行して縦断するように配置されている。
なお、前記規制部材２０の上端又は下端は、屋外壁１９の固定枠１１の外側近傍に配設しても良い。
【００１７】
本実施例では前記可動枠１２が回動軸を左側端に有して配置されるため、前記規制部材２０は防犯窓１０の屋外側を縦断して配置される構成であるが、回動軸を上端あるいは下端に有する可動枠１２を配設する場合は、該規制部材２０は防犯窓１０の屋外側を横断して配置される構成にすることが望ましい。
【００１８】
前記コ字状棒材２１・２１の間には、連結杆２２・２２・・・が架設されている。
本実施例では、規制部材２０が縦方向に配設される形態であるため、前記連結杆２２・２２・・・が上下方向に等間隔に８本配設されているが、本数・形状・配置形態等は本実施例に限定されるものではなく、例えば、異なった太さの部材を間隔を変えて配置する形態でも良く、設計時に任意に計画することができる。また、前記連結杆２２・２２・・・は棒状に限定されるものではなく、例えば彩色・模様・穿孔等のデザインが施されたパネルを配置することもできる。
【００１９】
なお、図１乃至図４に示すように、本実施例では並設された２本のコ字状棒材２１・２１の間を連結杆２２・２２・・・で接合して１個の（１組の）規制部材２０を構成しているが、図７に示すように、一本のコ字状棒材２１にて規制部材２０を構成することもできる。規制部材２０を構成するコ字状棒材２１の数は、規制部材２０の幅により定まり、該規制部材２０の幅が広くなれば、２本・３本と複数のコ字状棒材２１を規制部材２０に備えることとなる。
【００２０】
そして、前記コ字状棒材２１・２１相互の間隔、並びに、前記固定枠１１のうち前記規制部材２０の架設されない辺と該規制部材２０との間の間隔は、何れも１５〜２０ｃｍとされる。２０ｃｍよりも間隙が大きければ、人間の肩が通り、防犯性能を備えることができず、また、１５ｃｍよりも間隙が小さければ、可動枠１２を広く開放することが困難となるからである。
但し、これらの値は、防犯窓１０の大きさや回動機構に応じて、可動枠１２を最も幅広く開口しても、コ字状棒材２１・２１の間隙、及び、規制部材２０と可動枠１２の間隙が、人が通行不能となるように定められる。
【００２１】
前記規制部材２０の背面、即ち室内側であって、前記可動枠１２との接触箇所には樹脂製等の緩衝部材２３が配設される。なお、本実施例では該緩衝部材２３は規制部材２０に設けられる構成とするが、前記規制部材２０と前記可動枠１２とのうち、互いの接触箇所のいずれか一方若しくは双方に緩衝部材２３を設けることができる。
【００２２】
図３及び図５に示すように、前記固定枠１１には、前記可動枠１２より室内側に網戸４１が固設されており、該網戸４１はその外周端を形成する網戸枠４２と該網戸枠４２内部に張設される網４３等とから構成される。なお、前記網戸４１を回動あるいは摺動して開閉可能に構成したり、該網戸４１を配置しない構成にしたりすることも可能である。
【００２３】
室内壁１８は屋外壁１９と略同一の開口部分を有し、該室内壁１８の開口部周縁で前記網戸枠４２の外周には窓見切り縁１４が配設される。そして、前記網戸枠４２下方の左右略中央部にはハンドルベース３１が室内方向に向かって突設され、該ハンドルベース３１上にはハンドル３２がさらに室内方向に向かって上方に突設される。
【００２４】
前記ハンドル３２は正逆回転可能に構成されており、該ハンドル３２は前記可動枠１２と連繋されている。具体的には、該ハンドル３２を図３中矢印Ｃの方向に回動させると該可動枠１２が図３中矢印Ｄの方向に回動して開き、該ハンドル３２を図３中矢印Ｃの逆方向に回動させると該可動枠１２が図３中矢印Ｄの逆方向に回動して閉じる構成になっている。なお、該ハンドル３２の回動方向と可動枠１２の開閉の関係は逆方向に対応するもの、即ちハンドル３２を矢印Ｃの方向に回動させると可動枠１２が矢印Ｄの逆方向に回動して閉じる構成でも良く、その構成は本実施例に限定されるものではない。つまり、本実施例における防犯窓１０は、前記ハンドル３２の回動により該ハンドル３２と連繋している前記可動枠１２の開閉作業を行うことができるものである。そのため、可動枠１２が前記網戸４１等によって室内から遮蔽されていても、室内から該ハンドル３２の回動を固定することによって、室内から可動枠１２の開閉をロックすることができるのである。
【００２５】
このように、本実施例における防犯窓１０は、壁に嵌設された固定枠１１と該固定枠１１に枢支されて屋外側に回動可能な可動枠１２とを少なくとも具備する外開き型の窓において、前記可動枠１２と接触して該可動枠１２の回動角度を規制する規制部材２０を、前記固定枠１１若しくはその周辺の壁に設けている。
これにより、例えば換気等で可動枠１２を開放している場合に、不審者等が外部から侵入しようとしても、該規制部材２０によって該可動枠１２の回動角度が抑制されて開口幅が制限されるため、不審者等の侵入を防ぐことができる。つまり可動枠１２が開放されても、不審者等に対する防犯効果を実現することができる。
また不審者にとっては、侵入までに時間がかかる住居に対して侵入を試みるのは発見・通報される可能性が大きいので、防犯設備を具備した窓は侵入の対象となりにくい。即ち、該規制部材２０を防犯窓１０周辺の屋外側に配設することで、不審者に狙われる虞を低減させることができ、所謂「見せる防犯」として機能させることができる。
【００２６】
また、前記規制部材２０の背面、即ち室内側の前記可動枠１２との接触箇所には緩衝部材２３が設けられている。
これにより、前記可動枠１２と前記規制部材２０との衝突による衝撃を和らげることができ、両者の損傷を防止することができる。また、油圧による緩衝器具等を別に設ける必要がなくなり、防犯窓１０を設置する際のコストと手間を低減させることができる。
【００２７】
また、防犯窓１０の規制部材２０は、前記可動枠１２の屋外側に該可動枠１２の回動軸と略平行に配置されたコ字状棒材２１で構成されている。
これにより、不審者等に窓ガラス１３全体を破壊されて防犯窓１０を大きく開口された場合でも、該規制部材２０が邪魔になり、不審者等の侵入を防ぐことができる。また規制部材２０の部品点数が少ないので、防犯窓１０を設置する際のコストと手間を低減することができる。つまり、リフォーム時あるいは新築時において、従来の防犯設備（防犯ガラスへの交換等）に比べて簡易かつ安価に設置可能となり、低コストで防犯性能を向上させることができる。本実施例においては、規制部材２０を構成するコ字状棒材２１・２１相互の間隔及び該規制部材２０と前記可動枠１２との最大間隔を１５〜２０ｃｍ程度とすることにより、該可動枠１２を最も幅広く開口しても人が通ることのできない程度に構成している。
加えて、従来の無骨な面格子に比べて意匠性に富み、外観的な美観を損なうことがない。
【００２８】
また、従来の面格子配置時に比べて可動枠１２をより大きく回動させることができ、開口幅を広く確保することができる。詳しくは、従来の面格子の場合は、面格子と可動枠１２の配設面との距離（後述する矢印Ｅの長さ）が該可動枠１２の開放限界であったのに対し、本発明によれば面格子に替えてコ字状棒材２１・２１で成る規制部材２０が配置されているので、可動枠１２の開放限界をより屋外側に広くとることができる。
即ち、従来の面格子の場合は固定枠１１の略全面を覆うように配設されるので、壁面と面格子との距離（図４中矢印Ｅ）が、可動枠１２の最大開口幅となるのに対して、本発明の規制部材２０では、それよりも大きい図４中矢印Ｆに示す距離を可動枠１２の最大開口幅とすることができるのである。上記により、該規制部材２０が室外の風景を遮らないため、居住者に閉塞感及び心理的圧迫感を与えることがない。即ち、防犯窓１０は外開き窓としての性能や防犯性能を損なうことなく、通気口や採光口としての窓の機能を確保できるのである。
つまり、本発明の防犯窓は、規制部材２０の左右配設位置や、コ字状棒材２１の縦部２１ａの固定枠１１からの距離（コ字状棒材２１の横部２１ｂの長さ）を調節することによって、可動枠１２のロックを解除した際の可動枠１２と固定枠１１との隙間の大きさを少ない規制部材２０でもって自由に決めることができるのである。
【００２９】
また、二本のコ字状棒材２１・２１を連結する連結杆２２・２２・・・が設けられるので、前記規制部材２０の強度を上げることができ、不審者等によって破壊され難くなり、防犯効果を高めることができる。また、防犯窓１０は侵入することが難しいことが不審者等にとって一目瞭然となり、不審者に狙われる虞を低減させることができる。
さらに、前記連結杆２２・２２・・・の本数・形状・配置形態等を任意に構成することにより、屋外及び室内からの美観性を向上させることができ、防犯窓１０のデザイン性を高めることができる。
【００３０】
なお、上記実施例においては、防犯窓１０としての機構を外開き窓に適用させて説明したが、防犯窓１０は、例えば、図６に示すような「滑り出し窓」であっても構わない。
防犯窓１０を滑り出し窓とする場合、外開き窓に比べて、可動枠１２をさらに大きく回動させることができ、開口幅をより広く確保することができる。即ち、図６中矢印Ｇに示す距離を可動枠１２の最大開口幅とすることができる。
【図面の簡単な説明】
【００３１】
【図１】本実施例に係る防犯窓の外観斜視図。
【図２】防犯窓の正面図。
【図３】図２におけるＡ−Ａ´断面図。
【図４】可動枠の最大開放状態を示したＡ−Ａ´断面図。
【図５】図２におけるＢ−Ｂ´断面図。
【図６】本実施例に係る防犯窓の構造を適用させた滑り出し窓の断面図。
【図７】別形態の規制部材を備えた防犯窓の正面図。
【符号の説明】
【００３２】
１０    防犯窓
１１    固定枠
１２    可動枠
１８    室内壁
１９    屋外壁
２０    規制部材
２１    コ字状棒材
２２    連結杆
２３    緩衝部材
３２    ハンドル
４１    網戸
【図１】
2008174951.tif 000003
【図２】
2008174951.tif 000004
【図３】
2008174951.tif 000005
【図４】
2008174951.tif 000006
【図５】
2008174951.tif 000007
【図６】
2008174951.tif 000008
【図７】
2008174951.tif 000009